(57)【特許請求の範囲】
【請求項１】
流体チャンバを画定するハウジングと、前記チャンバ内で往復移動可能なプランジャと、流体を前記チャンバに出し入れするための前記ハウジング内のシリンジポートと、前記シリンジポートを閉じる第１の位置と前記シリンジポートを露出させる第２の位置との間を移動することができるスライド可能スリーブと
を備える形式のシリンジアセンブリから流体を抽出するための流体抽出装置であって、
第１および第２の端部を有しており、前記第１の端部は流体入口ポートを画定し、前記第２の端部は流体出口ポートを画定している本体と、
前記流体入口ポートと前記流体出口ポートとを接続する前記本体を貫くチャネルと、
前記本体から半径方向に延びており、使用時に前記シリンジアセンブリの前記スリーブに接触し、該スリーブを前記第１の位置から前記第２の位置へと押すように構成された少なくとも１つの押し部材と、
前記本体上に位置しており、前記押し部材が前記スリーブを前記第２の位置へと移動させたときに前記シリンジアセンブリの前記ハウジングに接触することによって前記流体入口ポートを前記シリンジポートに連通させるように構成された少なくとも１つのストッパ部材と、
流体収集容器を着脱可能に接続するための前記本体の前記第２の端部に位置するコネクタと
を備える流体抽出装置。
【請求項２】
前記本体は、実質的に円柱形であり、長手軸と、外周面と、第１および第２の端面とを有し、前記流体入口ポートと前記流体出口ポートとは、互いに軸方向には整列していない、請求項１に記載の流体抽出装置。
【請求項３】
前記流体入口ポートは、前記本体の前記外周面に位置する、請求項２に記載の流体抽出装置。
【請求項４】
前記流体出口ポートは、前記本体の前記第２の端面に位置する、請求項２または３に記載の流体抽出装置。
【請求項５】
前記押し部材は、前記本体の外周を部分的に巡って延びるカラーを備える、請求項１〜４のいずれか一項に記載の流体抽出装置。
【請求項６】
前記ストッパ部材は、前記本体から半径方向に突出している、請求項１〜５のいずれか一項に記載の流体抽出装置。
【請求項７】
前記ストッパ部材は、前記本体の外周を部分的に巡って延びるカラーを備える、請求項１〜６のいずれか一項に記載の流体抽出装置。
【請求項８】
前記少なくとも１つの押し部材および前記少なくとも１つのストッパ部材は、互いに軸方向に離れている、請求項１〜７のいずれか一項に記載の流体抽出装置。
【請求項９】
前記ストッパ部材は、軸方向において前記押し部材と前記本体の前記第２の端部との間に位置する、請求項８に記載の流体抽出装置。
【請求項１０】
前記押し部材および前記ストッパ部材は、１対の軸方向に延びるリブによってつながっている、請求項８または９に記載の流体抽出装置。
【請求項１１】
前記押し部材は、くさび形である、請求項１に記載の流体抽出装置。
【請求項１２】
前記ストッパ部材は、少なくとも１つの案内レールを備える、請求項１に記載の流体抽出装置。
【請求項１３】
前記コネクタは、ねじ山、プッシュフィットコネクタ、またはツイストロックコネクタのうちの１つを備える、請求項１〜１２のいずれか一項に記載の流体抽出装置。
【請求項１４】
当該装置の外側の流体の圧力が当該装置の内側の流体の圧力を超える場合に開くように構成された前記流体入口ポートの弁
をさらに備える、請求項１〜１３のいずれか一項に記載の流体抽出装置。
【請求項１５】
前記流体入口ポートを囲むＯリングシール
をさらに備える、請求項１〜１４のいずれか一項に記載の流体抽出装置。
【請求項１６】
請求項１〜１５のいずれか一項に記載の流体抽出装置の請求項１に記載した形式のシリンジアセンブリとの組み合わせ。
【請求項１７】
前記流体抽出装置および前記シリンジアセンブリを無菌のパッケージに封じた、請求項１６に記載の組み合わせ。
【発明の詳細な説明】
【技術分野】
【０００１】
本発明は、医療用シリンジアセンブリから流体を取り出すための装置に関する。
【背景技術】
【０００２】
「シャープ」という用語が、医療の分野において周知であり、本明細書において、潜在的に危険である先端、刃、刃先、などを有する針および他のあらゆる器具を意味して使用される。
【０００３】
国際公開第２０１３／０８３９７９号パンフレットに、シリンジアセンブリの２つの実施形態が開示されている。どちらのアセンブリも、後の傷害または感染を最小限にするために、使用後の医療用シャープを隔離するための手段を提供している。
【発明の概要】
【０００４】
国際公開第２０１３／０８３９７９号パンフレットからのこれらの２つの実施形態のうちの第２の実施形態、すなわちこの文献からの図７〜図１０に示されている実施形態は、患者からの流体の吸引にとくに適している。この実施形態においては、流体が吸引され、シャープが格納された後に、吸引された流体は、シリンジアセンブリの内部の流体リザーバに収容されている。したがって、この流体をこのアセンブリおよび類似の設計を有する他のアセンブリから迅速かつ容易に取り出すことができる必要がある。
【０００５】
したがって、流体チャンバを画定するハウジングと、チャンバ内で往復移動可能なプランジャと、流体をチャンバに出し入れするためのハウジング内のシリンジポートと、シリンジポートを閉じる第１の位置とシリンジポートを露出させる第２の位置との間を移動することができるスライド可能スリーブと
を備える形式のシリンジアセンブリから流体を抽出するための流体抽出装置であって、
第１および第２の端部を有しており、第１の端部は流体入口ポートを画定し、第２の端部は流体出口ポートを画定している本体と、流体入口ポートと流体出口ポートとを接続する本体を貫くチャネルと、本体から半径方向に延びており、使用時にシリンジアセンブリのスリーブに接触し、スリーブを第１の位置から第２の位置へと押すように構成された少なくとも１つの押し部材と、本体上に位置しており、押し部材がスリーブを第２の位置へと移動させたときにシリンジアセンブリのハウジングに接触することによって流体入口ポートをシリンジポートに連通させるように構成された少なくとも１つのストッパ部材と、流体収集容器を着脱可能に接続するための本体の第２の端部に位置するコネクタと、を備える流体抽出装置が提供される。
【０００６】
このようにして、流体抽出装置は、シリンジアセンブリからの流体を、流体をこぼすことなく容易かつ便利に移動させることを可能にする。
【０００７】
本体は、実質的に円柱形であってよく、長手軸と、外周面と、第１および第２の端面とを有することができ、流体入口ポートと流体出口ポートとは、互いに軸方向には整列していない。
【０００８】
この場合、流体入口ポートは、本体の外周面に位置してよく、流体出口ポートは、本体の第２の端面に位置してよい。このように本体にポートを配置することにより、装置は、国際公開第２０１３／０８３９７９号パンフレットに開示されたシリンジアセンブリの第２の実施形態での使用にとくに適する。
【０００９】
押し部材は、本体の外周の一部に沿って延びるカラーを備えることができる。これにより、押し部材は、スリーブを第２の位置へとより便利に押し込むことができる。
【００１０】
ストッパ部材を、本体から半径方向に突出させることができる。
【００１１】
ストッパ部材は、本体の外周の一部に沿って延びるカラーを備えることができる。
【００１２】
少なくとも１つの押し部材および少なくとも１つのストッパ部材を、互いに軸方向に離すことができる。この場合、ストッパ部材を、軸方向において押し部材と本体の第２の端部との間に配置することができる。
【００１３】
押し部材およびストッパ部材を、軸方向に延びる一対のリブによって接続することができる。
【００１４】
押し部材は、くさび形であってよい。くさびは、好ましくは、本体の外面に沿って軸方向に延びる。くさびの細い端部が、好ましくは装置の第２の端部に向かって配置される一方で、くさびの大きい方の端部は、装置の第１の端部に向かって配置される。
【００１５】
ストッパ部材は、好ましくは、装置を流体の取り出しを必要とする任意のシリンジアセンブリへと案内するうえで役に立つ少なくとも１つのガイドレールを備える。
【００１６】
コネクタは、ねじ山、プッシュフィットコネクタ、またはツイストロックコネクタのうちの１つを備えることができる。これらの特定の種類のコネクタを使用することにより、装置を標準的な流体収集容器においてより容易に使用することが可能になる。
【００１７】
流体抽出装置は、装置の外側の流体の圧力が装置の内側の流体の圧力を超える場合に開くように構成された流体入口ポート内の弁をさらに備えることができる。このような弁により、装置は、シリンジアセンブリからのプランジャが押し込まれるときにのみ、流体チャンバから流体を受け取る。したがって、この弁の存在により、シリンジアセンブリからの流体の取り出しをより良好に制御することが可能になる。
【００１８】
流体抽出装置は、流体入口ポートとシリンジポートとの間の境界における流体の漏れを最小にするために、流体入口ポートを取り囲むＯリングシールをさらに備えることができる。
【００１９】
さらに、本発明は、特許請求の範囲に記載の流体抽出装置の請求項１に記載した形式のシリンジアセンブリとの組み合わせを提供する。これは、２つの構成要素を一緒に提供することによって、ユーザがシリンジアセンブリを使用して患者から流体を好都合に吸引し、次いで吸引した流体を流体抽出装置を使用してシリンジアセンブリから迅速に取り出すことを可能にする。
【００２０】
この場合、流体抽出装置およびシリンジアセンブリを、無菌のパッケージ内に密封して提供することができる。これは、シリンジアセンブリおよび流体抽出装置を使用の時点の直前まで無菌の状態に保つうえで役に立つ。
【００２１】
ここで、本発明を、添付の図面を参照して説明する。
【図面の簡単な説明】
【００２２】
【図１Ａ】本発明の第１の流体抽出装置の一端からの斜視図を示している。
【図１Ｂ】本発明の第１の流体抽出装置の他端からの斜視図を示している。
【図２Ａ】第１の種類のシリンジアセンブリにおいて使用されている本発明による第１の装置の種々の動作段階における断面図を示している。
【図２Ｂ】第１の種類のシリンジアセンブリにおいて使用されている本発明による第１の装置の種々の動作段階における断面図を示している。
【図２Ｃ】第１の種類のシリンジアセンブリにおいて使用されている本発明による第１の装置の種々の動作段階における断面図を示している。
【図２Ｄ】第１の種類のシリンジアセンブリにおいて使用されている本発明による第１の装置の種々の動作段階における断面図を示している。
【図３Ａ】本発明の第２の流体抽出装置の上方からの斜視図を示している。
【図３Ｂ】本発明の第２の流体抽出装置の下方からの斜視図を示している。
【図４Ａ】第２の種類のシリンジアセンブリにおいて使用されている第２の流体抽出装置の下方からの斜視図を示しており、非展開位置にある第２の流体抽出装置を示している。
【図４Ｂ】第２の種類のシリンジアセンブリにおいて使用されている第２の流体抽出装置の下方からの斜視図を示しており、展開位置にある装置を示している。
【図５Ａ】第２の種類のシリンジアセンブリにおいて使用されている第２の流体抽出装置の断面図を示しており、非展開位置にある第２の流体抽出装置を示している。
【図５Ｂ】第２の種類のシリンジアセンブリにおいて使用されている第２の流体抽出装置の断面図を示しており、展開位置にある装置を示している。
【図６Ａ】図５Ａに示した断面Ｃ−Ｃ’を示す断面図である。
【図６Ｂ】図５Ｂに示した断面Ｄ−Ｄ’を示す断面図である。
【発明を実施するための形態】
【００２３】
本発明による第１の装置が、図１Ａおよび図１Ｂを参照して最もよく示される。装置１０は、近位端１２と遠位端１４とを備える「アイ（ｅｙｅ）」形状の円柱形部品で形成される。アイ形状の部品は、長手軸を中心にしておおむね円柱形であり、楕円形の断面を持つ近位端１２を有し、この楕円形の断面の長く延びた端部は、尖っている。
【００２４】
流体のための通路１８（図２Ａにおいて最もよく見て取ることができる）が、装置１０を通って延びている。流体のための通路１８は、装置１０の外周面の近位部分に第１のポート２０を備え、装置１０の遠位端１４に露出された第２のポート２２を備える。通路１８は、円形の断面を有し、おおむねＬ字形である。使用時に、流体は、装置の外周面の第１のポート２０から通路へと入り、通路を通過し、装置１０の遠位端に位置する第２のポート２２によって通路から出ることができる。
【００２５】
装置１０の遠位端１４は、流体用の別の容器（図示せず）に接続されるように形作られている。とくには、遠位端１４を、装置１０を他の標準的な医療用の容器へと接続することを可能にするためのコネクタ２４の形状に形作ることができる。図１Ａおよび図１Ｂにおいて、コネクタ２４は、第２のポート２２の周りに同軸に位置する管状部分２５の内面を巡って延びるねじ山として示されている。したがって、このねじ山を、流体用の容器（図示せず）からのねじぶたに接続することが可能である。コネクタ２４は、代わりに、プッシュフィット（ｐｕｓｈ−ｆｉｔ）型またはツイストロック（ｔｗｉｓｔ−ｌｏｃｋ）型のコネクタであってもよい。コネクタ２４は、従来のＬｕｅｒＬｏｃｋコネクタであってもよい。
【００２６】
弁２６が、装置１０に取り付けられ、後述されるように装置１０が使用されていないときに第１のポート２０を閉じる。弁は、例えば、静止状態において閉じているスリットを有する弾性ダイアフラムであってよい。スリットは、弁２６の外側の圧力が増加した場合にのみ開く。
【００２７】
後述されるように、装置の使用時の流体の漏れを防止するために、Ｏリングシール２８が、装置１０の外周面の第１のポート２０を囲んでいる。
【００２８】
装置１０は、この例においては装置の外周面を巡って延びるカラー３０の形態の半径方向突出部を含む。カラー３０は、第１の部分３０Ａが、装置の第１断面Ａ−Ａ’を巡っておおむね第１の角度部分αについて延びる一方で、第２の部分３０Ｂが、装置の第２の断面Ｂ−Ｂ’を巡って異なる角度部分βにおいて延びるように、段差を有する。１対の軸方向に延びるリブ３０’が、カラー３０の第１および第２の部分３０Ａ、３０Ｂを互いに接続する。
【００２９】
部分３０Ａおよび３０Ｂの各々について、別のカラーを使用してもよい。カラーの各部分を、１つの連続した半径方向突出部の代わりに、１つ以上の分離可能な半径方向突出部で形成することもできる。
【００３０】
装置１０は、国際公開第２０１３／０８３９７９号パンフレットに開示されている種類のシリンジアセンブリにおいて使用可能であり、とくにはこの文献からの図７〜図１０に示されている実施形態において使用可能である。装置は、同様の設計の他のシリンジアセンブリにおいて使用されるようにも意図される。
【００３１】
適切なシリンジアセンブリ１００の例が、図２Ａ〜図２Ｄに示されている。
【００３２】
シリンジアセンブリ１００は、互いに実質的に平行な２つのチャネルを形成するハウジングによって形成される。
【００３３】
第１のチャネルは、遠位端壁１０１ａと開いた近位端１０１ｂとを備える第１の管状壁１０１の内側に形成される。プランジャ１０３を、管状壁１０１の内側でスライドすることができるように開いた近位端１０１ｂに挿入することができる。プランジャ１０３と、管状壁１０１と、遠位端壁１０１ａとが協働して、プランジャ１０３の位置に応じてサイズが制御される流体用のリザーバ１０２を画定する。
【００３４】
第２のチャネルは、第１のチャネルの隣に位置し、開いた遠位端１０５ａと開いた近位端１０５ｂとを備える第２の管状壁１０５によって形成される。この開いた遠位端１０５ａの一部分が、第２の管状壁１０５から短い距離だけ半径方向内側へと延びるリップ１０５ｃを備える。第２の管状壁１０５の内側に、遠位端１０６と近位端１０８とを備える管状スリーブ１０４が位置する。管状スリーブ１０４は、第２の管状壁１０５に対して軸方向にスライドすることができるが、第２の管状壁１０５の内側において回転することはできない。そのような回転は、管状スリーブ１０４の外面に配置され、第２の管状壁１０５の内面に位置する対応する一組の凹部１１９と係合するように働くことができる軸方向に間隔を置いて配置された突起１１７の列によって防止される。
【００３５】
管状スリーブ１０４の内部に、医療用シャープ１１０（とくには、針）を保持するためのシャープサブアセンブリ１０９が収容される。このサブアセンブリは、医療用シャープ１１０が患者からの流体の吸引または患者への流体の送出のために管状スリーブ１０４の遠位端１０６から突出する非格納状態から、移動可能である。さらに、シリンジアセンブリ１００は、医療用シャープ１１０の使用後にサブアセンブリ１０９を管状スリーブ１０４の近位端１０８に向かって手動または自動の両方にて引き込むことで医療用シャープ１１０を管状スリーブ１０４の内側へと格納するための引き込み手段を備える。
【００３６】
シリンジポート１１２が、リザーバ１０２と第２の管状壁１０５の内部との間の流体のための通路をもたらすように、シリンジアセンブリ１００内に配置される。シリンジポート１１２は、遠位端壁１０１ａに形成され、第１の管状壁１０１を通って第２の管状壁１０５によって画定された第２のチャネルへと延びる。
【００３７】
流体ポート１１３が、管状スリーブ１０４の遠位部分に配置されている。流体ポート１１３およびシリンジポート１１２の両者は、シリンジアセンブリ上の同じ周方向位置に配置される（さらに、突起１１７および凹部１１９によってこれらの周方向位置に固定される）。アセンブリ１００が非格納状態にあるとき、流体ポート１１３およびシリンジポート１１４は、アセンブリ１００からの医療用シャープ１１０につながり、患者への流体の注入および患者からの流体の吸引を可能にする。
【００３８】
格納状態において、医療用シャープ１１０は、スリーブ１０４の近位端１０８へと引っ込められる。この位置（図２Ａを参照）において、スリーブ１０４は、第２の管状壁１０５の内側の最も遠位側の位置にある。この位置において、シリンジポート１１２は、流体ポート１１３に対して軸方向にずれている。
【００３９】
このアセンブリの格納状態から、スリーブ１０４は、流体ポート１１３がシリンジポート１１２に整列する図２Ｄに示されるとおりの送出位置へと近位方向に第２の管状壁１０５の内側を移動可能である。格納状態から送出位置へのスリーブ１０４の移動は、以下で図２Ａ〜図２Ｄを参照して説明されるように、本発明の流体抽出装置１０を使用して行われる。
【００４０】
最初に、流体抽出装置１０の近位端１２が、第２の管状壁１０５の開いた遠位端１０５ａへと挿入される。装置１０は、カラー３０の第１の部分３０Ａがスリーブ１０４の遠位端に当接するように寸法付けられている（図２Ｃを参照）。ひとたびこの位置に位置すると、第１のポート２０は、スリーブ１０４上に位置する流体ポート１１３に整列する。
【００４１】
この位置（図２Ｃを参照）から、装置１０をシリンジアセンブリ１００に対して近位方向に押すことにより、カラー３０の第１の部分３０Ａが、管状スリーブ１０４に圧力を加える。
【００４２】
ひとたび充分な圧力が加えられると、管状スリーブ１０４からの各々の突起１１７が、第２の管状壁１０５の凹部１１９のうちの１つに位置する初期位置から近位方向に隣の凹部１１９へと押し進められる。この位置において、カラー３０の第２の部分３０Ｂが第２の管状壁１０５のリップ１０５ｃに当接し、装置１０がシリンジアセンブリ内にそれ以上押し込まれることがないようにする（図２Ｄを参照）。
【００４３】
図２Ｄに示されるこの位置から、装置１０からの第１のポート２０、管状スリーブ１０５からの流体ポート１１３、およびシリンジポート１１２がすべて整列し、流体をリザーバ１０２から逃がすための経路を形成する。しかしながら、第１のポート２０を塞ぐ装置１０の弁２６が、この流体が装置１０に入ることを防止する。
【００４４】
プランジャ１０３を押し込んでリザーバ１０２のサイズを小さくすることにより、装置１０の弁２６に加わる流体の圧力が高まり、弁が開き、結果として流体を第１のポート２０を通って装置１０内の通路１８へと流し、第２のポート２２からコネクタ２２によって装置１０に接続された容器（図示せず）へと流出させることができる。この流体の移動の際に、管状スリーブ１０５上の流体ポート１１３と装置１０上の第１のポート２０との間の境界を囲む装置１０からのＯリングシール２８が、装置１０の周囲における管状スリーブ１０５への流体の漏れを防止する。
【００４５】
特許請求の範囲の技術的範囲から逸脱することなく、本発明に対して多数の変形および変更を行うことができることが理解されよう。
【００４６】
例えば、管状スリーブ１０４を、第２の管状壁１０５の内側において第１の軸方向位置から第２の軸方向位置へと移動させるのではなく、第２の管状壁１０５に対して第１の角度位置と第２の角度位置との間で回転させてもよいことを、理解できるであろう。この場合、突起１１７および凹部１１９を、それぞれの管状スリーブ１０４および第２の管状壁１０５上の異なる軸方向位置ではなく、異なる周方向位置に配置することができる。この場合、装置１０からのカラー３０の一部分が、装置によってスリーブ１０４を把持して回転させることができるように、管状スリーブ１０４内の対応する部分と係合する。
【００４７】
このような回転式の機構の例が、図３Ａ〜図６Ｂに示されている。これらの図には、本発明による第２の装置２１０と、この装置２１０と共に使用するためのシリンジアセンブリ３００が開示されている。
【００４８】
第２の装置２１０は、図３Ａおよび図３Ｂを参照して最もよく示される。或る特徴が第１の装置１０および第２の装置２１０に共通である場合、対応する参照番号が使用される（例えば、１０は２１０に対応し、２２は２２２に対応し、２６は２２６に対応する）。
【００４９】
第１の装置１０と同様に、第２の装置２１０は、近位端２１２と遠位端２１４とを画定する本体２１１を備えるおおむね円柱形の部品で形成される。部品は、長手軸を中心としておおむね円柱形であり、円形の断面を持つ近位端２１２を有する。
【００５０】
流体のための通路２１８（図５Ａにおいて最もよく見て取ることができる）が、装置２１０を通って延びている。流体のための通路２１８は、装置２１０の外周面の近位部分に第１のポート２２０を備え、装置２１０の遠位端２１４に露出された第２のポート２２２を備える。通路２１８は、円形の断面を有し、おおむねＬ字形である。使用時に、流体は、装置の外周面の第１のポート２２０から通路へと入り、通路を通過し、装置２１０の遠位端に位置する第２のポート２２２によって通路から出ることができる。
【００５１】
装置２１０の遠位端２１４は、コネクタ２２４（第１の装置１０に関連して説明したコネクタ２４と同一）を介して流体用の別個の容器（図示せず）に接続されるように形作られている。
【００５２】
弁２６と同一の弁２２６が、装置２１０に取り付けられ、装置２１０が使用されていないときに第１のポート２２０を閉じる。装置の使用時の流体の漏れを防止するために、Ｏリングシール２２８が、装置２１０の外周面の第１のポート２２０を囲んでいる。
【００５３】
くさび２３２の形状の半径方向突出部が、本体２１１の外面に沿って軸方向に延びている。くさび２３２は、本体２１１のポート２２０の反対側に位置している。くさびの細い端部２３３が、装置２１０の近位端２１２に向かって配置され、くさび２３２の大きい方の端部２３４が、装置の遠位端２１４に向かって配置されている。
【００５４】
装置２１０は、装置２１０の遠位端２１４に向かって外側へと延びる半径方向突出部２４０を含む。２つの脚部２４１が、半径方向突出部２４０から近位方向へと軸方向に延びている。各々の脚部は、「アイ（eye）」形状の円柱形の本体２１１の外面から半径方向に離間しており、脚部の内面の長さに沿って延びる直線状の案内スロット２４２を備えている。
【００５５】
装置２１０を、図４Ａ〜図６Ｂに開示される種類のシリンジアセンブリ３００において使用することができる。シリンジアセンブリ３００は、図２Ａ〜図２Ｄに示したシリンジアセンブリ１００の変種である。対応する参照番号が、２つのシリンジアセンブリに共通の特徴を示すために使用される（例えば、１００は３００に対応し、１０５は３０５に対応する）。
【００５６】
シリンジアセンブリ３００は、互いに実質的に平行な２つのチャネルを形成するハウジングによって形成される。
【００５７】
第１のチャネルは、遠位端壁３０１ａと開いた近位端３０１ｂとを備える第１の管状壁３０１の内側に形成される。プランジャ３０３を、管状壁３０１の内側でスライドすることができるように開いた近位端３０１ｂに挿入することができる。プランジャ３０３と、管状壁３０１と、遠位端壁３０１ａとが協働して、プランジャ３０３の位置に応じてサイズが制御される流体用のリザーバ３０２を画定する。
【００５８】
第２のチャネルは、第１のチャネルの隣に位置し、開いた遠位端３０５ａと開いた近位端３０５ｂとを備える第２の管状壁３０５によって形成される。この開いた遠位端３０５ａの一部分が、第２の管状壁３０５から短い距離だけ半径方向内側へと延びるリップ３０５ｃを備える。第２の管状壁３０５の内側に、遠位端３０６と近位端３０８とを備える管状スリーブ３０４が位置する。第１のシリンジアセンブリ１００の管状スリーブ３０４とは対照的に、第２のシリンジアセンブリ３００の管状スリーブ３０４は、第２の管状壁３０５に対して回転することができるが、第２の管状壁３０５の内側で軸方向にスライドすることはできない。
【００５９】
そのような軸方向の移動は、第２の管状壁３０５の内面に位置し、管状スリーブ３０４の外面に位置する対応する一組の凹部３１９と係合するように働くことができる軸方向における位置が同じであるが角度方向に離れている突起３１７（図６Ａおよび図６Ｂに最もよく示されている）の列によって防止される。
【００６０】
図６Ａおよび図６Ｂに最もよく示されているように、一対の直線状の案内レール３４３が、第２の管状壁３０５の外面から半径方向に延びている。レール３４３は、壁３０５の長さに沿って軸方向に延びており、装置２１０の脚部２４１上に位置する２つのスロット２４２内に嵌合するように寸法付けられている。
【００６１】
すでにシャープサブアセンブリ１０９に関して説明したように、管状スリーブ３０４の内部に、医療用シャープ３１０（とくには、針）を保持するためのシャープサブアセンブリ３０９が収容される。
【００６２】
シリンジポート３１２が、リザーバ３０２と第２の管状壁３０５の内部との間の流体のための通路をもたらすように、シリンジアセンブリ３００内に配置される。シリンジポート３１２は、遠位端壁３０１ａに形成され、第１の管状壁３０１を通って第２の管状壁３０５によって画定された第２のチャネルへと延びる。
【００６３】
流体ポート３１３が、管状スリーブ３０４の遠位部分に配置される。流体ポート３１３およびシリンジポート３１２の両者は、シリンジアセンブリ上の同じ軸方向位置に配置される（さらに、突起３１７および凹部３１９によってこれらの軸方向位置に固定される）。アセンブリ３００が非格納状態にあるとき、流体ポート３１３およびシリンジポート３１４は、アセンブリ３００からの医療用シャープ３１０につながり、患者への流体の注入および患者からの流体の吸引を可能にする。
【００６４】
格納状態において、医療用シャープ３１０は、スリーブ３０４の近位端３０８へと引っ込められる。この位置（図５Ａおよび図６Ａを参照）において、スリーブ３０４は、第２の管状壁３０５の内側で回転した位置にある。この位置において、シリンジポート３１２は、流体ポート３１３に対して角度がずれている。
【００６５】
アセンブリの格納状態から、スリーブ３０４は、図６Ａに示されるとおりの位置から、流体ポート３１３がシリンジポート３１２に整列する図６Ｂに示されるとおりの送出位置へと、第２の管状壁３０５の内側で回転可能である。格納状態から送出位置へのスリーブ３０４の移動は、以下で説明されるように、本発明の流体抽出装置２１０を使用して行われる。
【００６６】
最初に、流体抽出装置２１０の近位端２１２が、シリンジアセンブリ３００のレール３４３を装置２１０からのスロット２４２に入れることによって、第２の管状壁３０５の開いた遠位端３０５ａに挿入される。
【００６７】
この位置（図４Ａ、図５Ａ、および図６Ａを参照）から、装置２１０をシリンジアセンブリ３００に対して近位方向に押すことにより、くさび２３２の形状が管状スリーブ３０４に圧力を加える。くさび２３２の形状ゆえに、加えられる圧力は、装置２１０がシリンジアセンブリへと挿入されるにつれて増加する。
【００６８】
ひとたびくさび２３２によって充分な圧力が加えられると、凹部３１７および管状スリーブ３０４は、突起３１７および第２の管状壁３０５に対して初期位置から図４Ｂ、図５Ｂ、および図６Ｂに示されるとおりの送出位置へと回転させられ、流体ポート３１３がシリンジポート３１２に整列する。
【００６９】
この送出位置において、装置２１０からの第１のポート２２０、管状スリーブ３０５からの流体ポート３１３、およびシリンジポート３１２がすべて整列し、流体をリザーバ３０２から逃がすための経路を形成する。この位置において、半径方向突出部２４０が第２の管状壁３０５のリップ３０５ｃに当接し、装置２１０がシリンジアセンブリ内にそれ以上押し込まれることがないようにする（図６Ｄを参照）。
【００７０】
上述の装置を、使用前に無菌のパッケージにて提供できることを、理解できるであろう。このようにして、装置を、使用が意図される時点の直前まで無菌に保つことができる。
【００７１】
装置は、医療の分野における使用に限定されないことも、理解できるであろう。実際に、装置は、取り出しを必要とする流体を収容する任意の形態のシリンジアセンブリにおいて使用可能である。
【００７２】
上述の装置の各々は、特定のシリンジアセンブリに関連して説明されているが、装置は、流体チャンバ、ポート、およびポートを開閉するためのスライド可能な部材を有する他の構成のシリンジと共に使用されることも意図されている。
【図１Ａ】
0006785251.tif 000002
【図１Ｂ】
0006785251.tif 000003
【図２Ａ】
0006785251.tif 000004
【図２Ｂ】
0006785251.tif 000005
【図２Ｃ】
0006785251.tif 000006
【図２Ｄ】
0006785251.tif 000007
【図３Ａ】
0006785251.tif 000008
【図３Ｂ】
0006785251.tif 000009
【図４Ａ】
0006785251.tif 000010
【図４Ｂ】
0006785251.tif 000011
【図５Ａ】
0006785251.tif 000012
【図５Ｂ】
0006785251.tif 000013
【図６Ａ】
0006785251.tif 000014
【図６Ｂ】
0006785251.tif 000015